(57)【要約】【課題】キッチン設備の配置状態を住人にとって好適に制御し、ひいては、キッチン設備を使用する際の利便性を大いに高める。【解決手段】作業台３１等の各キッチン設備は、無線通信部ｍ１と、無線通信部ｍ１を通じての受信情報に基づいて配置状態の自動調整制御を行う各制御部ｍ２ａ〜ｍ２ｄとを有する。また、携帯機Ｋ１〜Ｋ４は、無線通信部ｍ３とメモリｍ４とを備えており、メモリｍ４には、それぞれの所有者（住人Ｕ１〜Ｕ４）ごとに異なる個別の識別情報と、所有者ごとにキッチン設備の配置状態に関して設定される設定情報を含むユーザ特有情報とが記憶されている。各キッチン設備は、所定の使用エリア内に携帯機が進入して当該携帯機と無線通信が行われる際に、識別情報とユーザ特有情報とを受信し、それらの受信情報に基づいて配置状態を自動調整する。【選択図】図４
2008259659.tif 000002
【特許請求の範囲】
【請求項１】
複数のユーザに共用されるキッチン設備に通信機能を付与し、携帯型通信装置との無線通信情報に基づいて、ユーザによる入力操作に無関係に前記キッチン設備の配置状態を自動調整するようにしたキッチン設備制御システムであって、
ユーザごとに用意される各携帯型通信装置に、それを所持するユーザを個別に認識する識別情報とユーザごとに登録されるユーザ特有情報とを記憶しておき、
前記キッチン設備は、所定の使用エリア内に前記携帯型通信装置が進入して当該携帯型通信装置と無線通信が行われる際に、前記識別情報と前記ユーザ特有情報とを受信し、それらの受信情報に基づいて配置状態の自動調整を実施することを特徴とするキッチン設備制御システム。
【請求項２】
前記携帯型通信装置に、前記ユーザ特有情報として、ユーザごとにキッチン設備の配置状態に関して設定される設定情報や各ユーザの身体に関する情報を登録しておく請求項１に記載のキッチン設備制御システム。
【請求項３】
前記キッチン設備の配置状態が調整される際にどのユーザが優先されるかを示す優先基準を定めておき、同一のキッチン設備で複数の識別情報が受信された場合に、当該キッチン設備は、前記優先基準により選んだユーザのユーザ特有情報に基づいて配置状態の自動調整を実施する請求項１又は２に記載のキッチン設備制御システム。
【請求項４】
複数のキッチン設備を制御対象とするキッチン設備制御システムにおいて、
通信機能が付与されたすべてのキッチン設備に共通する優先順位を定めておき、各キッチン設備はその共通の優先順位に従って配置状態の自動調整を実施する請求項３に記載のキッチン設備制御システム。
【請求項５】
キッチン設備ごとに使用者の優先順位を定めておき、同一のキッチン設備で複数の識別情報が受信された場合に、当該キッチン設備は、キッチン設備ごとの優先順位に従い配置状態の自動調整を実施する請求項３に記載のキッチン設備制御システム。
【請求項６】
前記識別情報及び前記ユーザ特有情報の受信に応じて前記キッチン設備の配置状態がすでに調整された状態下で、それよりも優先上位のユーザの識別情報が同様に受信された場合、当該キッチン設備は、配置状態を変更する旨を報知した後、当該キッチン設備の配置状態の変更を行う請求項３乃至５のいずれかに記載のキッチン設備制御システム。
【請求項７】
同一のキッチン設備で同時に複数の識別情報が受信された場合に、同時受信された識別情報にそれぞれ付随するユーザ特有情報に基づく配置状態の差異が設定値内であれば当該キッチン設備を平均的な配置状態とし、設定値を超えていれば当該キッチン設備を優先基準に従った配置状態とする請求項３乃至６のいずれかに記載のキッチン設備制御システム。
【請求項８】
同一の携帯型通信装置から同時に前記識別情報と前記ユーザ特有情報とを受信し得る複数のキッチン設備に関して、配置状態の自動調整に関する互いの状況を監視する監視手段と、その監視結果に基づき予め設定された優先順位に従って各キッチン設備の配置状態が自動調整されるように、各キッチン設備の制御を統括する主制御手段とを備えた請求項１乃至７のいずれかに記載のキッチン設備制御システム。
【請求項９】
前記キッチン設備側で前記識別情報と前記ユーザ特有情報とを受信した場合に、それら各情報を受信したまま所定の待ち時間が経過した時点で配置状態の自動調整を開始する請求項１乃至８のいずれかに記載のキッチン設備制御システム。
【請求項１０】
前記キッチン設備側で前記識別情報と前記ユーザ特有情報とを受信した後、その受信が途切れた場合、キッチン設備の配置状態を初期状態に復帰させる請求項１乃至９のいずれかに記載のキッチン設備制御システム。
【請求項１１】
前記キッチン設備は調理作業が行われる作業台であり、前記ユーザ特有情報に含まれる高さ情報に基づいてその作業台の高さを自動調整する請求項１乃至１０のいずれかに記載のキッチン設備制御システム。
【請求項１２】
前記キッチン設備は調理作業が行われる作業台であり、前記ユーザ特有情報に含まれる水平位置情報に基づいてその作業台の水平方向の設置位置を自動調整する請求項１乃至１０のいずれかに記載のキッチン設備制御システム。
【請求項１３】
前記識別情報及び前記ユーザ特有情報の受信に応じて前記作業台の配置状態がすでに調整された状態下で、それよりも優先上位のユーザの識別情報が同様に受信された場合、前記作業台に設置された調理機器が運転されている間は、当該作業台の配置状態を変更しないようにした請求項１１又は１２のいずれかに記載のキッチン設備制御システム。
【請求項１４】
前記キッチン設備は壁又は天井に設置される吊り戸棚であり、前記ユーザ特有情報に含まれる設置高さ情報に基づいて床面から当該吊り戸棚の下端までの設置高さを自動調整する請求項１乃至１３のいずれかに記載のキッチン設備制御システム。
【請求項１５】
前記キッチン設備は周辺収納キャビネットであり、前記ユーザ特有情報に含まれる水平位置情報に基づいて当該周辺収納キャビネットの水平方向の設置位置を自動調整する請求項１乃至１４のいずれかに記載のキッチン設備制御システム。
【請求項１６】
キッチン領域に存在する人数を検出する検出手段を備え、前記周辺収納キャビンネットと同キャビネットと平行に設置された作業台との間のキッチン通路が検出人数に応じた通路幅となるように、前記周辺収納キャビネット及び前記作業台の少なくともいずれか一方について水平方向の設置位置を自動調整する請求項１５に記載のキッチン設備制御システム。
【請求項１７】
前記キッチン設備はカウンタ部とその下方に設けられたキャビネット部とを有し、前記キャビネット部が前記カウンタ部に対し奥に向かって相対移動可能となるように構成され、前記カウンタ部に対する前記キャビネット部の相対位置に関する相対位置情報が前記ユーザ特有情報に含まれ、当該相対位置情報に基づいて前記キャビネット部の相対位置を自動調整する請求項１乃至１６のいずれかに記載のキッチン設備制御システム。
【発明の詳細な説明】
【技術分野】
【０００１】
本発明は、住宅におけるキッチン設備制御システムに関する。
【背景技術】
【０００２】
従来から、ユーザの身体的特徴をセンサ等の計測手段により計測するとともに、同センサ等の計測結果に基づいて住宅内の各種機器を制御する技術が提案されている。例えば、特許文献１の「個人認証装置及び通行制御装置」では、玄関ドア等からなる通行ゲートに身長計測手段として距離センサを設け、その距離センサにより計測された被認証者（通行者）の身長に応じて、ビデオカメラ等からなる端末部の高さを上下方向に移動させる。
【０００３】
また、厨房機器の設置高さを自由に調節する技術（特許文献２参照）、コンロ台やシンク台を水平移動させてキッチンのレイアウト変更する技術（特許文献３参照）も従来から提案されている。
【特許文献１】特開２００３−３０８３０３号公報
【特許文献２】特表２００４−５２０５６４号公報
【特許文献３】特開２００６−２８８４７５号公報
【発明の開示】
【発明が解決しようとする課題】
【０００４】
しかしながら、上記特許文献１の技術では、距離センサを用いて被認証者の身長を計測する構成であるため、身長計測時の状態（被認証者の姿勢など）に応じて計測結果にばらつきが生じ、それに起因して端末部の高さが適正に調整できないことがあると考えられる。距離センサを用いる場合に限らず、センサ等の計測手段を用いて、被認証者に対して都度計測を行う構成では、やはり計測時の被認証者の状態に応じて計測ばらつき等が生じ、それに起因して住宅内の各種機器の制御性低下が生じることが懸念される。
【０００５】
そして、端末部の高さを移動させる代わりに、厨房機器の高さを移動させたり、コンロ台やシンク台を水平移動させたりする構成を仮に考えたとしても、センサ等の計測手段により個人を認証する点ではなんら変わりはなく、上記懸念は同様に存在する。
【０００６】
本発明は、キッチン設備の配置状態をユーザにとって好適に制御し、ひいては、キッチン設備を使用する際の利便性を大いに高めることができるキッチン設備制御システムを提供することを主たる目的とする。
【課題を解決するための手段】
【０００７】
以下、上記課題を解決するのに有効な手段等につき、必要に応じて効果等を示しつつ説明する。
【０００８】
本発明のキッチン設備制御システムでは、複数のユーザに共用されるキッチン設備に通信機能を付与し、携帯型通信装置との無線通信情報に基づいて、ユーザによる入力操作に無関係に前記キッチン設備の配置状態が自動調整される。また特に、ユーザごとに用意される各携帯型通信装置に、それを所持するユーザを個別に認識する識別情報とユーザごとに登録されるユーザ特有情報とを記憶しておき、前記キッチン設備は、所定の使用エリア内に前記携帯型通信装置が進入して当該携帯型通信装置と無線通信が行われる際に、前記識別情報と前記ユーザ特有情報とを受信し、それらの受信情報に基づいて配置状態の自動調整を実施する。
【０００９】
上記構成によれば、ユーザ個別の識別情報に加えて、ユーザごとに登録されるユーザ特有情報に基づいてキッチン設備の配置状態が自動調整されるため、キッチン設備の配置状態を調整するための面倒な操作を不要としつつ、キッチン設備を、ユーザにとって適正な配置状態に調整することが可能となる。この場合、ユーザ特有情報はユーザごとに登録されるものであるため、個々のニーズに合わせてキッチン設備を任意に自動調整させることが容易に実現できる。また、計測ばらつきに起因して制御性低下が生じることが解消される。以上により、キッチン設備の配置状態をユーザにとって好適に制御し、ひいては、キッチン設備を使用する際の利便性を大いに高めることができる。
【００１０】
なお、携帯型通信装置は、ユーザが常備しやすい小型携帯装置であるのが好ましく、例えば、ユーザの人体に直接装着できる人体装着型装置やカード型装置としての具体化が考えられる。日常使用する携帯電話を、「携帯型通信装置」として使用したり、スマートキーを「携帯型通信装置」として使用したりすることも可能である。
【００１１】
前記携帯型通信装置に、前記ユーザ特有情報として、ユーザごとにキッチン設備の配置状態に関して設定される設定情報や各ユーザの身体に関する情報を登録しておくとよい。この場合、各ユーザの設定情報や身体情報に基づいてキッチン設備の配置状態が自動調整される。これにより、年齢や身長等の身体情報が異なる複数の住人が居住する住宅等においても、ユーザのニーズをより良く反映できる。また、身体情報や好みの相違により所望する配置状態が各住人間で異なっていても、ユーザのニーズをより良く反映できる。なお、設定情報と身体情報とのうち少なくともいずれかが登録されているとよい。
【００１２】
キッチン設備の配置状態が調整される際にどのユーザが優先されるかを示す優先基準を定めておき、同一のキッチン設備で複数の識別情報が受信された場合において、当該キッチン設備は、前記優先基準により選んだユーザのユーザ特有情報に基づいて配置状態の自動調整を実施するとよい。
【００１３】
つまり、複数のユーザ（住人）が住居する住宅では、複数のユーザがキッチン設備を使用する場合が想定される。かかる場合、所定の優先基準に基づいて当該キッチン設備の配置状態が調整されるようにすれば、優先基準がないためにキッチン設備の配置状態を調整するための制御が混乱するといった不都合を抑制できる。なお、ユーザ自身が優先順位を設定するか、又は定められた優先順位をユーザ側に通知しておけば、優先順位に基づいて配置状態の自動調整が行われる際に、ユーザ側で困惑が生じることが抑制される。
【００１４】
同一のキッチン設備で複数の識別情報が受信された場合の優先基準は以下のように定められているとよい。
【００１５】
（１）複数のキッチン設備を制御対象とするキッチン設備制御システムにおいて、通信機能が付与されたすべてのキッチン設備に共通する優先順位を定めておき、各キッチン設備はその共通の優先順位に従って配置状態の自動調整を実施する。キッチン設備はすべてキッチン領域内に配置されているため、優先順位の共通化が可能となる。この場合、キッチン設備ごとに優先順位を定める処理が不要となり、システムを単純化できる。
【００１６】
（２）キッチン設備ごとに優先順位を定めておき、同一のキッチン設備で複数の識別情報が受信された場合に、当該キッチン設備は、キッチン設備ごとの優先順位に従い配置状態の自動調整を実施する。この場合、キッチン設備ごとに優先順位が定められることで、あるキッチン設備では優先下位のユーザを、他のキッチン設備では優先上位にすることができ、優先順位の偏りが抑制できる。
【００１７】
また、前記識別情報及び前記ユーザ特有情報の受信に応じてキッチン設備の配置状態がすでに調整された状態下で、それよりも優先上位のユーザの識別情報が同様に受信される場合も想定される。かかる場合、当該キッチン設備は、音声や表示等によって配置状態を変更する旨を報知した後、当該キッチン設備の配置状態の変更を行うとよい。これにより、不意にキッチン設備の配置状態が変更されることで、先にキッチン設備を使用していたユーザが気分を害するといった不都合が抑制できる。なお、キッチン設備の配置状態変更の可否をユーザ側に問い合わせる構成とすることも可能である。
【００１８】
同一のキッチン設備で同時に複数の識別情報が受信された場合に、同時受信された識別情報にそれぞれ付随するユーザ特有情報に基づく配置状態の差異が設定値内であれば当該キッチン設備を平均的な配置状態とし、設定値を超えていれば当該キッチン設備を優先基準に従った配置状態とするとよい。これにより、配置状態の差異が設定値以内であれば各ユーザのニーズを共に反映できるし、設定値を超えていれば、優先するユーザのニーズを尊重できるため、差異の大小に応じて好適な制御が可能となる。
【００１９】
同一の携帯型通信装置から同時に前記識別情報と前記ユーザ特有情報とを受信し得る複数のキッチン設備に関して、配置状態の自動調整に関する互いの状況を監視する監視手段と、その監視結果に基づき予め設定された優先順位に従って各キッチン設備の配置状態が自動調整されるように、各キッチン設備の制御を統括する主制御手段とを備えるとよい。例えば、キッチン通路の通路幅はその通路に至る前に調整済みであることが望ましい。この場合、配置状態の自動調整に関する各キッチン設備の状況が監視され、その監視結果に基づき優先度が高められたフロアキャビネットの水平位置の自動調整が最初に実施される。これにより、キッチンをより使いやすくすることができる。
【００２０】
例えば、ユーザがキッチン設備の近くを通り過ぎる場合には、キッチン設備の配置状態が自動調整される必要はない。そこで、前記キッチン設備側で前記識別情報と前記ユーザ特有情報とを受信した場合、それら各情報を受信したまま所定の待ち時間が経過した時点で配置状態の自動調整を開始するとよい。これにより、調整不要時におけるキッチン設備の自動調整開始をやめることができる。
【００２１】
前記キッチン設備側で前記識別情報と前記ユーザ特有情報とを受信した後、その受信が途切れた場合は、キッチン設備の配置状態を初期状態に復帰させるとよい。再び認識される識別情報は優先最上位のユーザである可能性が高いことを考えると、優先最上位のユーザに合わせた配置状態を初期状態として設定しておけば、配置状態の調整が繰り返されることを抑制できる。なお、電話に出る等、短時間だけキッチンを離れる場合もあることからすれば、この場合、識別情報が途切れたまま所定の待ち時間が経過した時点で初期状態に復帰させることが好ましい。
【００２２】
前記キッチン設備は調理作業が行われる作業台であり、前記ユーザ特有情報に含まれる高さ情報に基づいてその作業台の高さを自動調整したり、水平位置情報に基づいて作業台の水平方向の設置位置を自動調整したりするとよい。なお、高さと水平位置との少なくともいずれかが調整可能となっていればよい。
【００２３】
この構成において、前記識別情報及び前記ユーザ特有情報の受信に応じて前記作業台の配置状態がすでに調整された状態下で、それよりも優先上位のユーザの識別情報が同様に受信された場合、前記作業台に設置された調理機器が運転されている間は、当該作業台の配置状態を変更しないようにするとよい。これにより、調理機器の運転中に作業台の高さが変更されて、調理機器を利用した作業が中断させられてしまうといった不都合を解消できる。なお、ここでの調理機器には、ガスコンロや電磁調理器、オーブン等の加熱調理機器の他、刃物が用いられた調理機器等も含まれるものとする。
【００２４】
前記キッチン設備は壁又は天井に設置される吊り戸棚であり、前記ユーザ特有情報に含まれる設置高さ情報に基づいて床面から当該吊り戸棚の下端までの設置高さ、つまり吊り戸棚の上下方向の設置位置を自動調整するとよい。
【００２５】
また、前記キッチン設備は周辺収納キャビネットであり、前記ユーザ特有情報に含まれる水平位置情報に基づいて当該周辺収納キャビネットの水平方向の設置位置を自動調整するとよい。
【００２６】
この構成において、キッチン領域に存在する人数を検出する検出手段を備え、前記周辺収納キャビンネットと同キャビネットと平行に設置された作業台との間のキッチン通路が検出人数に応じた通路幅となるように、前記周辺収納キャビネット及び前記作業台の少なくともいずれか一方について水平方向の設置位置を自動調整するとよい。これにより、キッチン通路を人数に応じた十分な通路幅に設定できるため、複数人がキッチン領域に入室した場合でも、快適に調理作業を行える。
【００２７】
また、前記キッチン設備はカウンタ部とその下方に設けられたキャビネット部とを有し、前記キャビネット部は前記カウンタ部に対し奥に向かって相対移動可能となるように構成され、前記カウンタ部に対する前記キャビネット部の相対位置に関する相対位置情報が前記ユーザ特有情報に含まれ、当該相対位置情報に基づいて前記キャビネット部の相対位置を自動調整するとよい。これにより、キャビネット部の前方には足入れ空間が形成されるため、この足入れ空間を利用すれば、カウンタ部上での作業を椅子に座った状態で行うことができる。特に、車椅子利用者にとっては大きなメリットとなる。
【発明を実施するための最良の形態】
【００２８】
以下、本発明のキッチン設備制御システムを具体化した一実施の形態を、図面を参照しつつ説明する。まず、二階建て住宅１０における一階部分の間取り例を図１に基づいて説明する。
【００２９】
図１に示すように、住宅１０は、主な屋内スペースとして玄関１１、廊下１２、和室１３、リビング１４、ダイニング１５、キッチン１６、洗面室１７、トイレ１８及び浴室１９を備えている。なお、リビング１４、ダイニング１５及びキッチン１６は、連続した一体空間（ＬＤＫ空間）として形成されている。
【００３０】
キッチン１６には対面型の作業台３１が設置されており、この作業台３１により、ダイニング１５とキッチン１６とが区画されている。対面型の作業台３１には、リビング１５に向かって立ちながら調理作業できるように、ガスコンロや電磁調理器、オーブン等の加熱調理機器３２、及びシンク３３が設けられている。作業台３１の上方には吊り戸棚３４が設置されている。また、作業台３１の向かい側である壁側には、周辺収納キャビネット３５が壁に沿って設置されている。具体的には、カップボード３６、フロアキャビネット３７が設置されている。これらの周辺収納キャビネット３５は前記作業台３１と平行に設置され、その作業台３１との間にキッチン通路３８が形成されている。
【００３１】
なお、キッチン１６における作業台３１や周辺収納キャビネット３５の配置構成は上記構成に限定されるものではなく、例えば、作業台３１をアイランド型として設置したり、壁面に沿ったウォール型として設置したりしてもよい。
【００３２】
図２はキッチン１６領域を横から見た場合の概略図であり、図３は周辺収納キャビネット３５を横から見た場合の概略図である。なお、以下の説明、並びに図２及び図３では、周辺収納キャビネット３５としてフロアキャビネット３７を例としている。
【００３３】
図２に示すように、各キッチン設備（上記作業台３１、吊り戸棚３４及びフロアキャビネット３７等）は、当該設備に設けられた操作パネルの入力操作や設備ごとのリモコン装置（遠隔操作装置）の入力操作に基づいて、各設備の設置状態が手動で調整されるようになっている。つまり、作業台３１はその高さＨが調整可能となっている。吊り戸棚３４は床面から同吊り戸棚３４の下端までの設置高さＳが調整可能となっている。また、フロアキャビネット３７は水平方向の設置位置（以下、水平位置という。）が調整可能となっており、それが調整されることによりキッチン通路３８の通路幅Ｌが変更される。
【００３４】
図３に示すように、前記フロアキャビネット３７については、他のキッチン設備とは異なり、カウンタ部４１に対するキャビネット部４２の水平方向の相対位置が調整可能となっている。そして、カウンタ部４１に対し、キャビネット部４２をキッチン通路側から奥へ相対移動させることで、そのキャビネット部４２の前方には足入れ空間４３が形成される。この足入れ空間４３を利用すれば、カウンタ部４１上での作業を椅子に座った状態で行うことが可能となる。特に、車椅子利用者であればそのメリットは大きい。
【００３５】
上記各キッチン設備について、その設置状態を調整するための機械的な構成は、従来公知の技術を適宜利用できる。このため、それに関する具体的な説明は省略する。
【００３６】
なお、作業台３１、吊り戸棚３４及びフロアキャビネット３７等の各キッチン設備について、調整可能とされる配置状態は上記の場合に限定されるものではない。例えば、作業台３１について水平方向の設置位置を調整可能とすれば、通路幅Ｌを変更できる範囲が広がる。また、作業台３１については、カウンタ部の下方にキャビネット部が設けられた構成であれば、フロアキャビネット３７と同様、キャビネット部の水平方向の相対位置を調整可能としてもよい。この他、吊り戸棚３４についても水平方向の設置位置を調整可能としたり、フロアキャビネット３７について高さを調整可能としたりしてもよい。
【００３７】
本実施形態のキッチン設備制御システムでは、各キッチン設備に通信機能が付与され、携帯型通信装置との無線通信情報に基づいて、各キッチン設備の設置状態が自動調整されるようになっている。つまり、各キッチン設備は、手動操作により設置状態が調整されることに加え、携帯型通信装置との無線通信情報に基づいて、住人による入力操作と無関係に自動調整されるようになっている。
【００３８】
図４は、本制御システムの概要を示すブロック図である。なお図４では、作業台３１、吊り戸棚３４及びフロアキャビネット３７を制御対象とする事例について説明する。
【００３９】
図４において、作業台３１、吊り戸棚３４及びフロアキャビネット３７の各キッチン設備は、外部装置との間で無線通信を行うための無線通信部ｍ１と、無線通信部ｍ１を通じての受信情報に基づいて各種設置状態を調整するための制御を行う制御部ｍ２とを有している。具体的には、作業台３１の高さ調整を制御する高さ制御部ｍ２ａ、吊り戸棚３４の設置高さ調整を制御する設置高さ制御部ｍ２ｂ、フロアキャビネット３７の水平位置の調整を制御する水平位置制御部ｍ２ｃ、キャビネット部４２について相対位置の調整を制御するキャビネット制御部ｍ２ｄである。
【００４０】
また、作業台３１、吊り戸棚３４、フロアキャビネット３７は共通の信号線５１により接続されており、同信号線５１はパソコン（パーソナルコンピュータ）５２が接続されている。パソコン５２にはメモリ５２ａが内蔵されている。作業台３１等のキッチン設備の設置状態が自動調整される場合、その調整に関する情報が信号線５１を通じてパソコン５２に順次送信される。自動調整に関する情報とは、例えば、各キッチン設備について設置状態が調整される頻度、外部装置から送信される情報を認識している時間、それを認識した時間帯などである。そして、この自動調整情報がパソコン５２にてメモリ５２ａに順次記憶される。
【００４１】
本実施形態では、住宅の住人として４人の住人Ｕ１，Ｕ２，Ｕ３，Ｕ４を想定しており、各住人Ｕ１〜Ｕ４によって携帯型通信装置としての携帯機Ｋ１〜Ｋ４がそれぞれ所持される。携帯機Ｋ１〜Ｋ４はいずれも小型携帯装置よりなり、携帯しても邪魔になりにくくかつ常備しやすいものとなっている。例えば、携帯機本体にリストバンドを取り付けた構成のブレスレット式携帯機や、同携帯機本体にネックチェーンを取り付けた構成のペンダント式携帯機、同携帯機本体にバネフックやバッジピンを取り付けた構成のバッジ式携帯機などとして具体化することが考えられる。また、スマートキーシステムで使用される電子キーを携帯機Ｋ１〜Ｋ４として用いたり、日常的に使用される携帯電話を携帯機Ｋ１〜Ｋ４として用いたり、通信機能を有するＩＣカードを携帯機Ｋ１〜Ｋ４として用いたりすることも可能である。住人ごとに、形式・形態の異なる携帯機を使用することも可能である。
【００４２】
携帯機Ｋ１〜Ｋ４は無線通信部ｍ３を備えており、例えば、一つ部屋程度のエリアを通信範囲（送受信範囲）として、作業台３１、吊り戸棚３４及びフロアキャビネット３７の各無線通信部ｍ１との間で無線通信が可能となっている。また、携帯機Ｋ１〜Ｋ４にはメモリｍ４が設けられており、そのメモリｍ４には、それぞれの所有者（住人Ｕ１〜Ｕ４）ごとに異なる個別の識別情報と、所有者ごとに登録されるユーザ特有情報が記憶されている。ユーザ特有情報には、各キッチン設備の配置状態に関して任意に設定される設定情報が含まれる。
【００４３】
識別情報は、少なくとも本制御システムで認証されるユーザであってかつ認証対象とされる複数のユーザ（例えば同居する家族）が個別に認識可能となる情報となっている。また、ユーザ特有情報に含まれる前記設定情報としては、例えば、「作業台３１の高さ（高さ情報）、吊り戸棚３４の設置高さ（設置高さ情報）、フロアキャビネット３７の水平位置（水平位置情報）、カウンタ部４１に対するキャビネット部４２の相対位置（相対位置情報）」などの各種情報が含まれる。
【００４４】
上記ユーザ特有情報は、各住人Ｕ１〜Ｕ４の入力操作、すなわち直接入力によってメモリｍ４に登録され、必要に応じて更新される（書き換えられる）。具体的には、携帯機Ｋ１〜Ｋ４に多数の入力ボタン等からなる設定入力部を設けておき、その設定入力部の入力操作によってユーザ特有情報を登録及び更新する。このとき、携帯機Ｋ１〜Ｋ４にディスプレイ部を設けておくとその入力操作が容易となる。また、携帯機Ｋ１〜Ｋ４に直接入力する以外に、パソコン５２等によりユーザ特有情報を入力し、その入力情報を無線又は優先により携帯機Ｋ１〜Ｋ４に送信する手法も適用できる。さらに、各キッチン設備を所望の配置状態に手動で調整し、その状態における各種情報（例えば高さ情報）を無線又は優先により携帯機Ｋ１〜Ｋ４に送信する手法も適用できる。
【００４５】
その他、メモリｍ４は、内蔵メモリである以外に、メモリカード等、出し入れ可能な記憶媒体であってもよい。メモリｍ４をメモリカードにて構成する場合、そのメモリカードをパソコン側に接続することで、ユーザ特有情報の登録や更新をパソコン側で簡易に行うことが可能となる。
【００４６】
住人間には優先順位が設定され、ユーザ特有情報に含まれる各種情報が重複して認識された場合は、優先住人の情報が優先される。優先順位は住人自身により設定されるか、又はパソコン５２のメモリ５２ａに記憶された前記自動調整情報に基づいて自動的に設定される。後者の場合、例えば、設置状態が調整される頻度、キッチン１６での総滞在時間（識別情報とユーザ特有情報とを認識している時間の合計）、当該時間帯（例えば、日中、夕方、夜間等）における滞在時間などに基づいて設定されるようにするとよい。なお、後者のように優先順位が自動設定された場合には、住人側での困惑を避けるため、設定された順位を各住人Ｕ１〜Ｕ２に通知しておくことが好ましい。
【００４７】
上記構成のキッチン設備制御システムでは、各キッチン設備（作業台３１、吊り戸棚３４及びフロアキャビネット３７）が定期的にリクエスト信号を送信するのに対し、携帯機Ｋ１〜Ｋ４は、リクエスト信号の受信エリアに進入した際において、リクエスト信号に応答して識別情報とユーザ特有情報とを送信する。そして、キッチン設備側では、携帯機Ｋ１〜Ｋ４から送信される識別情報とユーザ特有情報とを受信し、その受信情報に基づいて配置状態の自動調整を実施する。
【００４８】
各キッチン設備３１，３４，３７における自動調整制御の流れを、図５のフローチャートに基づいて説明する。この制御処理は、各キッチン設備３１，３４，３７の各制御部（高さ制御部ｍ２ａ、設置高さ制御部ｍ２ｂ、水平位置制御部ｍ２ｃ、キャビネット制御部ｍ２ｄ）によって所定の時間周期で実行される。
【００４９】
図５において、ステップＳ１１ではリクエスト信号の送信処理を実施し、続くステップＳ１２では、リクエスト信号に応答して識別情報とユーザ特有情報とを受信したか否かを判定する。応答が無い場合、すなわち識別情報とユーザ特有情報とを受信していない場合、そのまま本処理を終了する。
【００５０】
また、応答が有る場合、すなわち識別情報とユーザ特有情報とを受信している場合、ステップＳ１３に進み、受信した識別情報に基づいてユーザ認証を実施する。そして、認証ＯＫであれば、ステップＳ１４を肯定して後続のステップＳ１５に進み、認証ＮＧであれば、ステップＳ１４を否定してそのまま本処理を終了する。なお、複数の携帯機から識別情報とユーザ特有情報とを受信している場合には、各携帯機からの受信情報のうち少なくともいずれかが認証ＯＫであればステップＳ１５に進む。
【００５１】
ステップＳ１５では、ユーザ特有情報に基づいて各キッチン設備がその配置状態の自動調整を実行する。つまり、作業台３１は高さ情報の高さＨとなるようにその高さＨを自動調整する。吊り戸棚３４は設置高さ情報の設置高さＳとなるようにその設置高さＳを自動調整する。フロアキャビネット３７は、水平位置情報の水平位置となるようにその水平位置を自動調整し、また相対位置情報の相対位置に配置されるようにカウンタ部４１に対するキャビネット部４２の相対位置を自動調整する。
【００５２】
なお、各キッチン設備３１，３４，３７の自動運転の開始後、識別情報とユーザ特有情報とが受信されない状態になると（ステップＳ１２が否定されると）、各キッチン設備３１，３４，３７の配置状態は初期状態に復帰するようになっている。ここでの初期状態は、最も優先順位の高い住人の情報に合わせた配置状態となっている。ただし、フロアキャビネット３７のキャビネット部４２の相対位置については、非変更状態（足入れ空間４３が形成されない状態）を初期状態とする。なお、初期状態は住人自身によって適宜設定されるようになっており、全住人Ｕ１〜Ｕ４の情報の平均値に合わせて配置された状態を初期状態としてもよい。
【００５３】
ここで本実施形態では、作業台３１、吊り戸棚３４及びフロアキャビネット３７において、その自動運転を行う場合に制御パラメータとなるユーザ特有情報が異なる。例えば、作業台３１では高さ情報、吊り戸棚３４では設置高さ情報、フロアキャビネット３７では水平位置情報及び相対位置情報がそれぞれ制御パラメータとなっている。つまり、キッチン設備ごとに、ユーザ特有情報に含まれる複数種類の情報のうちから自動運転の制御パラメータとなるユーザ特有情報がそれぞれ選別して定めてられている。そして、キッチン設備ごとに定められた制御パラメータに基づき、各キッチン設備３１，３４，３７で自動運転が行われる。
【００５４】
この場合、各キッチン設備３１，３４，３７では、ユーザ特有情報の全てを使って自動運転を行うのではなく、ユーザ特有情報の一部のみを使って自動運転を行っている。そのため、キッチン設備ごとに、必要情報のみを通信する構成としてもよい。具体的には、各キッチン設備３１，３４，３７から送信されるリクエスト信号には、キッチン設備側で受信したい情報内容を特定するための情報特定信号が含まれているとよい。これにより、携帯機Ｋ１〜Ｋ４からキッチン設備に対して無駄な情報の送信が抑制される。
【００５５】
次に、キッチン設備がその配置状態を自動調整する場合の具体的な制御動作について、図６及び図７のタイムチャートを参照して説明する。なおここでは、上述した図４のシステム構成を前提とする。また、説明の便宜上、男性である「住人Ｕ１」と、その妻である「住人Ｕ２」とを想定し、住人Ｕ２は炊事その他のためにキッチン設備を普段から頻繁に利用しているとする。このため、キッチン１６は住人Ｕ２の優先度が最も高く、優先度は「住人Ｕ２＞住人Ｕ１」としている。
【００５６】
図６は、両住人Ｕ１，Ｕ２が同時にキッチン１６に入室した場合の制御動作を示している。このうち、（ａ）は両住人Ｕ１，Ｕ２の各情報の差異が設定値以内である場合の制御操作を示し、（ｂ）はその各情報の差異が設定値を超える場合の制御動作を示している。
【００５７】
タイミングｔ１で同時に両住人Ｕ１，Ｕ２がキッチン１６に入室すると、各住人Ｕ１，Ｕ２の識別情報とユーザ特有情報とがキッチン設備側で受信される。そして、その情報受信を受けて、所定の待ち時間Ｔａ（例えば、数５秒程度）が経過したタイミングｔ２にて各キッチン設備（作業台３１、吊り戸棚３４及びフロアキャビネット）の設置状態が変更される。
【００５８】
ここでは、図６の（ａ）に示すように、両住人Ｕ１，Ｕ２の各情報がＸ１，Ｘ２であり、その差異Ｄ１が設定値Ａ（例えば、１０ｃｍ）以内である。このため、情報ごとに両住人Ｕ１，Ｕ２の平均値をとって各キッチン設備の設置状態が自動調整される。
【００５９】
一方、図６の（ｂ）に示すように、両住人Ｕ１，Ｕ２の各情報がＸ１，Ｘ２であり、その差Ｄ２が設定値Ａを超えている。この場合、住人Ｕ２の方が優先度が高いため、住人Ｕ２の情報に基づいて各キッチン設備の配置状態が自動調整される。例えば、作業台３１については、住人Ｕ２の高さ情報の方が住人Ｕ１の高さ情報よりも低く、その低い高さ情報の高さＨに合わせた高さＨとなるまで作業台３１が下降する。
【００６０】
なお、両住人Ｕ１，Ｕ２が極短時間だけキッチン１６に入室した場合（入室時間が待ち時間Ｔａ以内の場合）には、各キッチン設備の配置状態の調整は行われない。ただし、待ち時間Ｔａを設定せず、両住人Ｕ１，Ｕ２の識別情報等を受信すると直ちに各キッチン設備３１，３４，３７の配置状態を自動調整する構成であってもよい。
【００６１】
次に、図７は「Ｕ１→Ｕ２」の順で各住人Ｕ１，Ｕ２がキッチン１６に入室した場合の制御動作を示している。このうち、（ａ）は加熱調理機器３２が非運転中の場合の制御動作を示し、（ｂ）は住人Ｕ１が入室し加熱調理機器３２を運転中に住人Ｕ２が入室した場合の作業台３１に関する制御動作を示している。
【００６２】
図７の（ａ）において、タイミングｔ１１で住人Ｕ１が先にキッチン１６に入室すると、住人Ｕ１の識別情報とユーザ特有情報とが各キッチン設備側で受信される。そして、その情報受信を受けて、所定の待ち時間Ｔａ（例えば数５秒程度）が経過したタイミングｔ１２にて各キッチン設備３１，３４，３７の配置状態が住人Ｕ１のユーザ特有情報に基づいて自動調整される。
【００６３】
なお、この場合も、住人Ｕ１が極短時間だけキッチン１６に入室した場合（入室時間が待ち時間Ｔａ以内の場合）には、各キッチン設備３１，３４，３７の配置状態の調整は行われない。
【００６４】
その後、タイミングｔ１３で住人Ｕ２がキッチン１６に入室すると、住人Ｕ２の識別情報とユーザ特有情報とが各キッチン設備側で受信される。すなわちかかる場合には、キッチン１６の各キッチン設備３１，３４，３７において、二人の住人Ｕ１，Ｕ２の識別情報等が重複して受信されることとなる。そして、住人Ｕ２の方が優先度が高いため、住人Ｕ１の入室に伴って自動調整された配置状態が、住人Ｕ２のユーザ特有情報に基づいた配置状態に自動変更される。例えば、作業台３１については、住人Ｕ２の高さ情報の方が住人Ｕ１の高さ情報よりも低いため、その低い高さ情報の高さＨに合わせて作業台３１の高さＨが低くなる。
【００６５】
タイミングｔ１４で住人Ｕ１がキッチン１６から退室した後、タイミングｔ１５で住人Ｕ２もキッチン１６から退室すると、所定の待ち時間Ｔｂ（例えば数５秒程度）が経過したタイミングｔ１６にて、各キッチン設備３１，３４，３７の配置状態は初期状態に復帰する。なお、住人Ｕ２が極短時間だけキッチン１６から退室した場合（退室時間が待ち時間Ｔｂ以内の場合）には、各キッチン設備３１，３４，３７は初期状態に復帰されない。
【００６６】
一方、図７の（ｂ）において、タイミングｔ２１で住人Ｕ１が先にキッチン１６に入室すると、住人Ｕ１の識別情報とユーザ特有情報とが各キッチン設備側で受信される。そして、図７の（ａ）と同様に、各キッチン設備３１，３４，３７の配置状態が住人Ｕ１のユーザ特有情報に基づいて自動調整される。
【００６７】
その後、タイミングｔ２３で加熱調理機器３２が住人Ｕ１によって手動でＯＮ操作されると、加熱調理機器３２は運転状態となる。さらにその後、タイミングｔ２４にて住人Ｕ２がキッチン１６に入室すると、住人Ｕ２の識別情報とユーザ特有情報とが各キッチン設備側で受信される。このとき、図７の（ａ）と同様、各キッチン設備３１，３４，３７では、二人の住人Ｕ１，Ｕ２の識別情報等が重複して受信される。
【００６８】
ただ、この場合、住人Ｕ２の方が優先度が高いとしても、住人Ｕ２の入室に伴って作業台３１の高さＨが変更されない。これにより、加熱調理機器３２の運転中に作業台３１の高さＨが変更されて、加熱調理機器３２を利用した作業が中断させられてしまうといった不都合を解消できる。この場合、吊り戸棚３４やフロアキャビネット３７については、作業台３１と同様に住人Ｕ１に合わせた配置状態を維持してもよいし、優先度の高い住人Ｕ２に合わせて配置状態を変更してもよい。
【００６９】
なお、この加熱調理機器３２の他、刃物が用いられた調理機器等が運転状態にある場合も、作業台３１の高さを変更しないようにしてもよい。
【００７０】
上記の制御動作において、住人Ｕ１を基準とする設置状態から住人Ｕ２を基準とする設置状態に変更する際、その変更前に、これから設置状態の変更を行う旨を報知するようにしてもよい。例えば、キッチン１６の壁面に設けられたディスプレイに『住人Ｕ２のニーズに合わせて配置状態を変更します』等のメッセージを表示する。また、配置状態の変更の可否を問うべく、ディスプレイに『配置状態の変更がＯＫなら携帯機の××ボタンを押して下さい』等のメッセージを表示する。これらのメッセージを音声にて報知することも可能である。また、このように設置状態の変更を行う旨を報知する場合であれば、図７の（ｂ）に示すように、調理機器運転中に優先度の高い住人Ｕ２が入室したときでも、作業台３１の高さＨを住人Ｕ１に合わせたまま維持するのではなく、住人Ｕ２に合わせて変更してもよい。
【００７１】
なお、上記の如く所定の設定情報に合わせて各キッチン設備３１，３４，３７の配置状態が自動調整されるが、住人Ｕ１，Ｕ２による手動操作が行われた場合には、自動調整よりも優先されて手動操作による配置状態の変更が行われる。例えば、吊り戸棚３４の設置高さＳを手動操作で低くすれば、収納物の出し入れが容易となるし、掃除もしやすくなる。また、フロアキャビネット３７のカウンタ部４１上で作業している最中に、キャビネット部４２をキッチン通路側に移動させれば、そのキャビネット部４２に収納されている物を取り出すやすくなる。この場合、複数のフロアキャビネット３７が設置されている構成では、各キャビネット部４２を個別に手動操作を可能としてもよい。
【００７２】
以上詳述した本実施形態によれば、以下の優れた効果が得られる。
【００７３】
作業台３１等のキッチン設備において、携帯機Ｋ１〜Ｋ４との通信により住人Ｕ１〜Ｕ４ごとの識別情報とユーザ特有情報とが受信され、その際、住人Ｕ１〜Ｕ４ごとの識別情報に加えて、住人Ｕ１〜Ｕ４ごとに各キッチン設備３１，３４，３７の配置状態が設定された設定情報を含むユーザ特有情報に基づいて、配置状態が自動調整される。これにより、キッチン設備の配置状態を調整するための面倒な手動操作を不要としつつ、キッチン設備を、各住人Ｕ１〜Ｕ４にとって適正な配置状態に調整することが可能となる。特に、設定情報は住人ごとに設定されるため、各住人の身体的特徴をセンサ等により計測していた従来技術とは異なり、センサ等の計測ばらつきに起因して制御性低下が生じることが解消される。以上により、作業台３１等のキッチン設備の配置状態を各住人にとって好適に制御し、ひいては、キッチン設備を使用する際の利便性を大いに高めることができる。
【００７４】
各キッチン設備３１，３４，３７の配置状態が自動調整される際の優先基準を定めたため、同一のキッチン設備で複数の識別情報が受信された場合において、優先基準がないために各キッチン設備の制御が混乱する、といった不都合を抑制できる。優先基準について具体的には、通信機能が付与されたすべてのキッチン設備３１，３４，３７に共通する優先順位を定めたため、キッチン設備ごとに優先順位を定める処理が不要となり、システムを単純化できる。
【００７５】
また、時間を前後して「優先下位の識別情報（住人Ｕ１の情報）の受信→優先上位の識別情報（住人Ｕ２の情報）の受信」が行われた場合に、音声や表示等により配置状態を変更する旨、報知する構成とした。このため、不意にキッチン設備の配置状態が変更されることで、先にキッチン設備を使用していた住人Ｕ１が気分を害するといった不都合が抑制できる。
【００７６】
住人Ｕ１，Ｕ２が同時にキッチン１６に入室し、各キッチン設備３１，３４，３７が両者の識別情報を同時に受信した場合、ユーザ特有情報に基づく配置状態の差異Ｄが、設定値Ａ内であれば平均値をとり、設定値Ａを超えていれば優先基準に従って各キッチン設備３１，３４，３７の配置状態を調整している。これにより、差異Ｄが小さければ両住人Ｕ１，Ｕ２のニーズを共に反映できるし、差異Ｄが大きければ優先する住人Ｕ２のニーズを尊重できる。
【００７７】
住人Ｕ１〜Ｕ４の識別情報を受信したまま所定の待ち時間Ｔａが経過した時点で、各キッチン設備３１，３４，３７において配置状態の自動調整を開始させる構成とした。このため、不要なキッチン設備の配置状態調整をやめさせることができる。
【００７８】
優先最上位の住人に合わせた配置状態を初期状態とし、識別情報の受信が途切れた場合は各キッチン設備３１，３４，３７の配置状態をその初期状態に復帰させるとようにした。このため、配置状態の調整が繰り返されることを抑制できる。また、識別情報の受信が途切れたまま所定の待ち時間Ｔｂが経過した時点で初期状態に復帰させるようにしたため、不用意な復帰をやめさせることができる。
【００７９】
住人Ｕ１の識別情報の受信に応じて作業台３１の高さＨが調整された状態下で、それよりも優先上位の住人Ｕ２の識別情報が同様に受信された場合、加熱調理機器３２が運転されている間は、作業台３１の高さＨを変更しないようにした。これにより、加熱調理機器３２の運転中に作業台３１の高さＨが変更されて、加熱調理機器３２を利用した作業が中断させられてしまうといった不都合を解消できる。
【００８０】
フロアキャビネット３７については、キャビネット部４２がカウンタ部４１に対し奥に向かって相対移動可能となるように構成され、相対位置情報に基づいてキャビネット部４２の相対位置が自動調整されるようにした。これにより、キャビネット部４２の前方には足入れ空間４３が形成されるため、この足入れ空間４３を利用すれば、カウンタ部４１上での作業を椅子に座った状態で行うことができる。特に、車椅子利用者のニーズに応えることができる。
【００８１】
なお、本発明は上記実施形態に限定されず、例えば次のように実施されてもよい。
【００８２】
・ユーザ特有情報に基づいて、通信機能を付与されたすべてのキッチン設備の配置状態が同時に自動調整されるのではなく、各キッチン設備の配置状態が予め設定された優先順位に従って自動調整されるようにしてもよい。その場合、例えば次のような構成を採用することが考えられる。
【００８３】
この別実施形態の住宅では、キッチン１６が入口エリア６１と主エリア６２というように複数に区画されている（図１参照）。主エリアの入口には通過センサが設置され、その通過センサはパソコン５２に接続されている。パソコン５２のメモリ５２ａには、予め設定された各キッチン設備３１，３４，３７の優先順位が記憶されている。そして、このパソコン５２により、各キッチン設備３１，３４，３７がその配置状態を自動調整する状況が監視されるとともに、各キッチン設備３１，３４，３７における配置状態の自動調整が統括制御される。
【００８４】
すなわち、住人がキッチン１６に入り、携帯機との無線通信によって、ユーザ特有情報に基づいて各キッチン設備３１，３４，３７の配置状態が自動調整され得る状態になった場合、その時受信した識別情報と各設備のスタンバイ情報とがパソコン５２に送信される。この場合、主制御手段であるパソコン５２は、各キッチン設備３１，３４，３７のうち優先順位の高いキッチン設備のみ配置状態の自動調整の開始を許可する。例えば、キッチン通路３８の通路幅Ｌはその通路３８に至る前に調整済みであることが望ましいため、配置状態の調整により通路幅Ｌが変更されるフロアキャビネット３７を他のキッチン設備よりも優先度を高くする。この場合、住人がキッチン１６に入ると、フロアキャビネット３７の水平位置が最初に自動調整される。次いで、パソコン５２は、主エリアへの通過センサからの人検出信号を受信すると、残りのキッチン設備について配置状態の自動調整の開始を許可する。先の例によれば、住人が主エリア６２に入ると作業台３１の高さＨや吊り戸棚３４の設置高さＳが自動調整される。
【００８５】
・パソコン５２が各キッチン設備の自動調整状況の監視を行う構成は他にも考えられる。すなわち、前述したように、識別情報及びスタンバイ情報がパソコン５２に送信されると、それが誰の受信情報かに基づいて、各キッチン設備の自動調整を不許可とするようにしてもよい。例えば、メモリ５２ａに記憶された自動調整情報からみて、調整される頻度や総滞在時間が設定値以内である場合は、各キッチン設備の自動調整を不許可とする。これにより無駄な調整が行われなくなるため、時間とエネルギーの消費を節約できる。
・住人ごとに登録されるユーザ特有情報として、各住人の身体に関する情報や住人の生活パターン（スケジュールを含む）などが登録されるようにしてもよい。身体に関する情報としては、例えば、「年齢（又は年齢層）、性別、身長、身体障害の有無、車椅子利用の有無」などの各情報が含まれる。
【００８６】
この場合、身体に関する情報を利用して住人間の優先順位が設定されるようにしてもよい。例えば、大人と子供とでは大人を優先させるとか、男性と女性とでは女性を優先させるように設定できる。また、フロアキャビネット３７についてそのキャビネット部４２の相対位置を変更させる場合、高齢者を優先させるように設定したり、健常者よりも障害者や車椅子利用者を優先させるように設定したりすることも可能となる。
【００８７】
ユーザ特有情報に身体に関する情報が含まれる場合、識別情報とユーザ特有情報とを受信後、待ち時間なし（Ｔａ＝０）で各キッチン設備の配置状態が自動調整されるようにしてもよい。例えば、車椅子利用の情報が受信されると、フロアキャビネット３７は直ちに水平位置を変更してキッチン通路３８の通路幅Ｌを変更する。こうすれば、キッチン通路３８の通路幅Ｌが変更されるまで、その通路３８への入口側で待たされるといった不都合を解消できる。
【００８８】
また、身体に関する情報に身長情報が含まれる場合、この身長情報に基づいて、当該身長を有する者にとって最適な高さＨ及び設置高さＳとなるように、作業台３１及び吊り戸棚３４の配置状態を自動調整するようにしてもよい。もっとも、この最適な高さＨ及び設置高さＳはユーザの個性が考慮されずに決定されるため、ユーザ特有情報として設定情報が含まれている場合は、ユーザの個性を反映しているその設定情報が優先される。
【００８９】
・パソコン５２に記憶されている自動調整情報を利用して、住人Ｕ１〜Ｕ４ごとにキッチン１６への入室時期を予測し、その入室時期に合わせて自動調整の準備を行うとよい。つまり、住人の行動パターンに基づいて自動調整処理を実施する。具体的には、ある住人が決まった時間帯にキッチン１６に入室することが予測される場合、毎日その時間帯に差しかかると各キッチン設備が同じ配置状態となるように自動調整する。これにより、住人にとってキッチン１６の使い勝手が一層向上する。
【００９０】
・すべてのキッチン設備について共通した優先順位が設定されるのではなく、キッチン設備ごとに優先順位が設定されるようにしてもよい。また、すべての住人に対して絶対的な優先順位が設定されるのではなく、住人ごと相対的に優先順位が設定されるようにしてもよい。例えば、「住人Ｕ１＞住人Ｕ２」、「住人Ｕ２＞住人Ｕ３」、「住人Ｕ３＞住人Ｕ１」というように優先順位を設定してもよい。これにより、住人間で優先順位の偏ることを抑制できる。
【００９１】
・キッチン１６に複数人が入った場合、携帯機を有するか否かとは無関係に、人数に合わせたキッチン通路３８の通路幅Ｌとなるように、フロアキャビネット３７はその水平位置を自動調整するようにしてもよい。この場合、キッチン１６の入口に通過センサが設けられ、その通過センサはパソコン５２に接続される。パソコン５２のメモリ５２ａには、キッチン１６に入室した人数に応じ、最適となる通路幅情報が記憶されている。そして、パソコン５２は、通過センサにより検出された通過人数に応じた通路幅情報を読み出し、その情報をフロアキャビネット３７の水平位置制御部ｍ２ｃに送信する。水平位置制御部ｍ２ｃは、その情報に基づいてフロアキャビネット３７の水平位置を自動調整する。
【００９２】
かかる制御動作により、キッチン通路３８を人数に応じた十分な通路幅Ｌに設定できるため、ホームパーティ等の際に複数人がキッチン１６に入った場合でも、快適に調理作業を行える。
【００９３】
・上記実施形態では、一つのキッチン１６を備えた住宅を例示したが、二世帯住宅等、複数のキッチン１６を備えた住宅であってもよい。この場合、各キッチン１６において、個別に優先順位を設定できる。
【００９４】
・上記実施形態では、二階建て住宅について例示したが、もちろん二階建て住宅以外に、平屋建て住宅や三階建て住宅にも適用できる。また、戸建住宅以外に、複数の世帯が重合する集合住宅にも適用できる。
【００９５】
・本制御システムを使用するユーザは、住宅に同居する家族以外に、同住宅に頻繁に出入るする人であってもよい。又は、社員寮や学生寮で使用する場合を想定して、その住居人であってもよい。
【図面の簡単な説明】
【００９６】
【図１】住宅の一階部分の間取り例を示す図。
【図２】キッチン領域を横から見た場合の概略図。
【図３】周辺収納キャビネットを横から見た場合の概略図。
【図４】キッチン設備制御システムの概要を示すブロック図。
【図５】キッチン設備における自動調整制御の流れを示すフローチャート。
【図６】具体的な制御動作について示すタイムチャート。
【図７】具体的な制御動作について示すタイムチャート。
【符号の説明】
【００９７】
１０…住宅、１６…キッチン、３１…作業台、３２…加熱調理機器、３４…吊り戸棚、３５…周辺収納キャビネット、３７…フロアキャビネット、３８…キッチン通路、４１…カウンタ部、４２…キャビネット部、４３…足入れ空間、５２…パソコン、５２ａ…メモリ、Ｋ１〜Ｋ４…携帯機、Ｕ１〜Ｕ４…住人。
【図１】
2008259659.tif 000003
【図２】
2008259659.tif 000004
【図３】
2008259659.tif 000005
【図４】
2008259659.tif 000006
【図５】
2008259659.tif 000007
【図６】
2008259659.tif 000008
【図７】
2008259659.tif 000009